(57)【要約】【課題】システムに流れる多様な電流変化に応じた異常検出と誤動作防止の両方を実現した安全システムを構築することができ、小型化・薄型化・高機能化が要求される携帯機器における安全設計を容易にすることができる電流監視安全システムを提供する。【解決手段】電流監視安全システムは、電流監視対象のシステムとその電源との間に接続され、システムとの間で通信可能である。この電流監視安全システムは、システムの動作状況に合わせて異常と判断する基準電流を切り替えて指示する動作電流管理部と、システム及び電源間を流れる電流を測定し、その測定電流と動作電流管理部により指示された基準電流との比較によりシステム異常を判断する電流監視部と、電流監視部によりシステム異常と判断されたときにシステム及び電源間の電気的接続を遮断する遮断制御部とを有する。【選択図】図３
2011186596.tif 000002
【特許請求の範囲】
【請求項１】
電流監視対象のシステムとその電源との間に接続され、前記システムとの間で通信可能な電流監視安全システムであって、
前記システムの動作状況に合わせて異常と判断する基準電流を切り替えて管理する動作電流管理部と、
前記システム及び前記電源間を流れる電流を測定し、その測定電流と前記基準電流との比較によりシステム異常を判断する電流監視部と、
前記電流監視部によりシステム異常と判断されたときに前記システム及び前記電源間の電気的接続を遮断する遮断制御部とを有することを特徴とする電流監視安全システム。
【請求項２】
前記遮断制御部は、前記システム及び前記電源間の電気的接続を遮断する前に前記システムとの間の通信により前記システム側に電源遮断の可否を確認し、電源遮断可のときに前記システム及び前記電源間の電気的接続を遮断することを特徴とする請求項１記載の電流監視安全システム。
【請求項３】
前記遮断制御部は、前記システムとの間の通信により前記電源遮断の可否確認に対する前記システム側からの応答がない場合に、一定時間経過後に前記システム及び前記電源間の電気的接続を遮断することを特徴とする請求項２記載の電流監視安全システム。
【請求項４】
前記動作電流管理部は、前記システム側の新規のシステム動作状況における異常判断の基準電流を学習することを特徴とする請求項１から３のいずれか１項に記載の電流監視安全システム。
【請求項５】
前記動作電流管理部は、前記システム内に搭載されることを特徴とする請求項１から４のいずれか１項に記載の電流監視安全システム。
【請求項６】
請求項１から５のいずれか１項に記載の電流監視安全システムを備えたことを特徴とする携帯機器。
【請求項７】
電流監視対象のシステムとその電源との間に接続され、前記システムとの間で通信可能な電流監視安全システムの動作方法であって、
動作電流管理部が、前記システムの動作状況に合わせて異常と判断する基準電流を切り替えて管理し、
電流監視部が、前記システム及び前記電源間を流れる電流を測定し、その測定電流と前記基準電流との比較によりシステム異常を判断し、
遮断制御部が、前記電流監視部によりシステム異常と判断されたときに前記システム及び前記電源間の電気的接続を遮断することを特徴とする電流監視安全システムの動作方法。
【請求項８】
前記遮断制御部が、前記システム及び前記電源間の電気的接続を遮断する前に前記システムとの間の通信により前記システム側に電源遮断の可否を確認し、電源遮断可のときに前記システム及び前記電源間の電気的接続を遮断することを特徴とする請求項７記載の電流監視安全システムの動作方法。
【請求項９】
前記遮断制御部が、前記システムとの間の通信により前記電源遮断の可否確認に対する前記システム側からの応答がない場合に、一定時間経過後に前記システム及び前記電源間の電気的接続を遮断することを特徴とする請求項８記載の電流監視安全システムの動作方法。
【請求項１０】
前記動作電流管理部が、前記システム側の新規のシステム動作状況における異常判断の基準電流を学習することを特徴とする請求項７から９のいずれか１項に記載の電流監視安全システムの動作方法。
【発明の詳細な説明】
【技術分野】
【０００１】
本発明は、電流監視安全システム、その動作方法、及び携帯機器に関する。
【背景技術】
【０００２】
可搬性を重視した携帯機器においては、通常その電源に電池が使われる。小型化・薄型化に加え、高機能化が進む携帯機器では、十分な使用時間を確保する為に、電池自体も大容量化が求められる。しかしながら、電池を大容量にすることで、電池の持つエネルギーも大きくなり、携帯機器が故障して異常電流が流れてしまった場合には、発火による火災や、発熱による使用者の火傷といった危険性を高くしてしまう。その為、携帯機器においては安全回路を設けて、発火や発熱を防止することが必要であった。
【０００３】
しかしながら、高機能化には電流の増加を伴う為、通常使用時の電流は増加傾向となり、通常使用時の装置温度も上昇傾向となる為、異常温度との差が少なくなることで、装置設計の難易度を高くしてしまうという問題があった。
【０００４】
また、携帯電話に代表されるように、通信機能を有する携帯機器では、ダウンロードによるソフトウェアの追加等により、追加されたソフトウェア毎の使用時の電流も異なるため、多数の追加ソフトウェアを使い分けるような場合には、電流ヒューズに代表されるような固定された電流値による異常検出が困難となる。
【０００５】
上記に関連して、電流を監視して安全を確保している先行技術としては、特許文献１〜４などがある。
【先行技術文献】
【特許文献】
【０００６】
【特許文献１】特開平６−３２１０２７号公報
【特許文献２】特開平７−１３５７３４号公報
【特許文献３】特開平９−３０８２３８号公報
【特許文献４】特開平６−３８５１８号公報
【発明の概要】
【発明が解決しようとする課題】
【０００７】
携帯電話に代表される可搬性を重視した携帯機器においては、機能や性能アップといった高機能のニーズがある一方で、可搬性を向上させる為に小型化・薄型化が常に求められている。こういった機器は、常に携帯する為に、故障が発生した場合における安全性の確保について、電流ヒューズや温度監視回路の搭載などを実施して、機器表面温度が異常温度になる前に機能を停止するなどの安全回路を設けている。
【０００８】
しかしながら、高機能化に伴い使用時の電流が多様化・増加する傾向にある一方、小型化・薄型化に伴う機器表面と動作する回路部分との距離の減少による通常使用温度と異常温度の差分が少なくなる傾向となっており、安全性と誤動作防止の両方を満足する装置設計が困難になるといった問題があった。
【０００９】
また、上述した先行技術でも、次のような課題があった。
【００１０】
例えば、特許文献１、２は、あらかじめ検出電流を決めておく必要がある為、新しいソフトウェアを追加できる携帯機器の場合には柔軟に対応することが難しい。
【００１１】
また、特許文献３は、マイコンにより異常電流を検出しているが、部品のバラツキによる異常電流検出精度を改善するものであり、使用状況に応じたフレキシブルな異常検出は網羅できていない。
【００１２】
さらに、特許文献４は、異常検出する電流値毎に判断回路が必要であり、多様な電流値への対応が困難である。また、上記特許全般として、誤動作を防止する機能がなく、例えば通信時に瞬間的に大きな電流が流れる携帯電話のように電流変化のある機器においては誤動作防止が難しい。
【００１３】
本発明の目的は、上記課題を解決し、システムに流れる多様な電流変化に応じた異常検出と誤動作防止の両方を実現した安全システムを構築することができ、小型化・薄型化・高機能化が要求される携帯機器における安全設計を容易にすることができる電流監視安全システム及びその動作方法を提供することにある。
【課題を解決するための手段】
【００１４】
上記目的を達成するため、本発明に係る電流監視安全システムは、電流監視対象のシステムとその電源との間に接続され、前記システムとの間で通信可能な電流監視安全システムであって、前記システムの動作状況に合わせて異常と判断する基準電流を切り替えて管理する動作電流管理部と、前記システム及び前記電源間を流れる電流を測定し、その測定電流と前記基準電流との比較によりシステム異常を判断する電流監視部と、前記電流監視部によりシステム異常と判断されたときに前記システム及び前記電源間の電気的接続を遮断する遮断制御部とを有することを特徴とする。
【００１５】
本発明に係る電流監視安全システムの動作方法は、電流監視対象のシステムとその電源との間に接続され、前記システムとの間で通信可能な電流監視安全システムの動作方法であって、動作電流管理部が、前記システムの動作状況に合わせて異常と判断する基準電流を切り替えて管理し、電流監視部が、前記システム及び前記電源間を流れる電流を測定し、その測定電流と前記基準電流との比較によりシステム異常を判断し、遮断制御部が、前記電流監視部によりシステム異常と判断されたときに前記システム及び前記電源間の電気的接続を遮断することを特徴とする。
【発明の効果】
【００１６】
本発明によれば、システムに流れる多様な電流変化に応じた異常検出と誤動作防止の両方を実現した安全システムを構築することができ、小型化・薄型化・高機能化が要求される携帯機器における安全設計を容易にすることができる。
【図面の簡単な説明】
【００１７】
【図１】本発明の実施の形態に係る電流監視安全システムの全体構成を示す概略ブロック図である。
【図２】図１に示す電流監視安全システムの動作を説明する概略フローチャートである。
【図３】本発明の第１の実施例に係る電流監視安全システムの全体構成を示す概略ブロック図である。
【図４】本発明の第２の実施例に係る電流監視安全システムの全体構成を示す概略ブロック図である。
【発明を実施するための形態】
【００１８】
次に、本発明に係る電流監視安全システム及びその動作方法の実施の形態について、図面を参照して詳細に説明する。
【００１９】
本実施の形態に係る電流監視安全システムは、電流を監視するシステムからの指示により、監視する電流をフレキシブルに切り替えることを特徴としている。具体的には、システム全体の電流を監視し、異常な電流が流れていないかどうかの判断をし、システムの電源を遮断することでシステムの安全性を確保するものである。また、流れる電流が多様に変化する場合にも異常判断電流を切り替えて追随する機能や、新しい使用状況が発生した場合にも対応する学習機能を有する。
【００２０】
これにより、携帯機器などの多様な使用状況が存在する装置にも対応可能とすることで、携帯機器の安全性の確保を容易に実現する。また、異常電流の判断後、システム電源を遮断する前に確認動作を行う仕組みを設けたことにより、異常判断の誤動作を防止する機能を有する。
【００２１】
すなわち、本実施の形態は、使用状況に応じた適切な電流値を基本に、システムに流れる電流を監視して、適切な電流値をオーバーした状態になったら、異常と判断してシステムの電源を遮断する。これにより、温度監視回路のような温度が上昇してからの安全回路の動作でなく、温度が上昇する前に異常を検出する手段を提供することで、装置設計を容易にすることを可能としている。また、システム電源遮断前にシステムに遮断可否を確認する仕組みを設け、誤動作を防止するなどの利便性を向上させている。
【００２２】
図１は、本実施の形態におけるシステム概要図を示す。
【００２３】
図１に示す電流監視安全システムは、携帯電話機等の携帯機器１００に搭載されるもので、携帯機器１００内の電流監視対象のシステム１０４とその電源（電池）との間に接続され、システム１０４との間で通信可能となっている。この電流監視安全システムは、システム１０４の動作状況に合わせて異常と判断する基準電流を切り替えて管理する動作電流管理部１０２と、システム１０４及び電源間を流れる電流を測定し、その測定電流と基準電流との比較によりシステム異常を判断する電流監視部１０１と、電流監視部１０１によりシステム異常と判断されたときにシステム１０４及び電源間の電気的接続を遮断する遮断制御部１０３とを有する。
【００２４】
このうち、動作電流管理部１０２は、システム１０４から通知された動作状況に合わせた基準電流を電流監視部１０１に通知して電流監視を実施する。基準電流は、システム１０４の動作状況が変わる度に、システム１０４から動作電流管理部１０２に通知されて変更を行いながら監視を継続する。監視中に基準電流を超えた場合には、電流監視部１０１から遮断制御部１０３に通知される。
【００２５】
遮断制御部１０３は、システム１０４に対して、遮断動作を実施して問題ないかの問い合わせを行い、システム１０４からの回答を待って遮断動作を実施する。システム１０４から遮断しない旨の回答が来た場合には、遮断動作を中断し、その旨を電流監視部１０１に通知して、再び電流監視を継続する。
【００２６】
この動作のように、システム１０４の動作状況に応じた基準電流を超える電流が流れた場合に、システム１０４に確認を取ってから電源遮断を実施することで、誤動作の発生を防止した安全システムを実現することができる。
【００２７】
図２は、本実施の形態の処理の流れを示す。なお、システム１０４には、動作電流管理部１０２、遮断制御部１０３からの後述の確認要求に応答して、その回答を通知するための制御プログラム（ＯＳ（Operating System）やファームウェア等の他のプログラムと一体になっているものも含む）がメモリ（非図示）に予め設定され、ＣＰＵ（非図示）がその制御プログラムを実行することで、確認動作が実行可能となっている。この確認動作は、携帯機器等で既知のものが適用可能である。
【００２８】
まず、システム１０４の電源がＯＮ（ステップ２０１）となると、動作電流管理部１０２により、そのシステム動作状況に応じた基準電流が設定され（ステップ２０２）、システム動作状況に変化があるかどうかをシステム１０４に確認する（ステップ２０３）。これに応答して、システム１０４は、例えばＣＰＵによりシステム１０４の現在の動作モードを確認する等の既知の確認動作によって、動作中のソフトウェアに変化があるか否か等を確認し、システム動作状況に変化があるかどうかの回答を動作電流管理部１０２に通知する。
【００２９】
その結果、システム動作状況に変化がない場合（ステップ２０３：Ｙｅｓ）には、そのまま電流監視部１０１により電流測定を開始する（ステップ２０６）。一方、システム１０４での動作状況に変化があった場合（ステップ２０３：Ｙｅｓ）には、新しい動作（例えば、新規に追加したソフトウェアが初めて動作した場合等）かどうかの確認をシステム１０４に行う（ステップ２０４）。これに応答して、システム１０４は、例えばＣＰＵによりシステム１０４の現在の動作モードを確認する等の既知の確認動作によって、現在何れのソフトウェアが動作しているか否か等を確認し、新しい動作かどうかの回答を動作電流管理部１０２に通知する。
【００３０】
その結果、新規に追加したソフトウェアが初めて動作した場合等であれば（ステップ２０４：Ｙｅｓ）、新しい動作状況の基準電流として、測定電流を動作電流管理部１０２に登録する（ステップ２０５）。こうすることで、動作電流管理部１０２は、システム１０４上に新しいソフトウェアを登録するなど、新規の使用状況における異常判断の基準電流を学習する。その後、電流監視部１０１による電流測定を開始する（ステップ２０６）。
【００３１】
電流測定後は、電流監視部１０１により測定電流が動作電流管理部１０２により登録された基準電流を上回ったかどうかを確認する（ステップ２０７）。その結果、上回っていない場合（ステップ２０７：Ｎｏ）には、システム動作に変化があったかどうかの確認（ステップ２０３）からを繰り返す。一方、測定電流が基準電流を上回った場合（ステップ２０７：Ｙｅｓ）には、遮断制御部１０３によりシステム１０４に電流遮断可否の確認を実施し（ステップ２０８）、タイマー（非図示）に一定時間をセットして（ステップ２０９）、一定時間経過したかどうかの確認をしながら（ステップ２１０）、システム１０４からの応答を待つ（ステップ２１２）。
【００３２】
この間に、システム１０４は、遮断制御部１０３による遮断判断（測定電流＞基準電流）が、システム１０４に対する周囲温度の影響や、システム１０４内に過渡電流が流れる状態等の要因による誤動作によるものでないかどうかの確認を実施する（ステップ２１１）。この確認動作は、例えば、システム１０４のＣＰＵにより、測定電流が基準電流を超えた原因が、システム１０４の周囲温度が予め設定された閾値を超えたり、外乱等により過渡電流が流れたりする等、システム１０４内に予め設定された要因による誤動作によるものであるか否かを確認することにより行われる。その結果、予め設定された要因による誤動作によるものであれば、電源遮断ＯＫでない旨の回答を通知し、誤動作によるものでなければ、電源遮断ＯＫである回答を通知する。
【００３３】
次いで、システム１０４からの回答があった場合（ステップ２１２：Ｙｅｓ）には、回答が遮断動作ＯＫかどうかを確認する（ステップ２１３）。
【００３４】
その結果、システム１０４からの回答が電源遮断ＯＫでなければ（ステップ２１３：Ｎｏ）、遮断制御部１０３によりタイマーをクリアし（ステップ２１４）、システム動作に変化があったどうかの確認（ステップ２０３）に戻る。
【００３５】
一方、システム１０４からの回答が電源遮断ＯＫだった場合（ステップ２１３：Ｙｅｓ）、もしくはシステム１０４から回答がなく一定時間が経過した場合（ステップ２１２：Ｎｏ、ステップ２１０：Ｙｅｓ）には、遮断制御部１０３によりシステム１０４の電源遮断を実施する（ステップ２１５）。
【００３６】
以上のように、本実施の形態に係る電流監視安全システムは、システム１０４側との通信手段を具備し、電流監視部１０１、動作電流管理部１０２、遮断制御部１０３の各動作を通じて、システム動作状況に合わせて異常と判断する基準電流を切り替えてシステム異常を判断し、システム１０４の電源を遮断することができる。
【００３７】
また、遮断制御部１０３は、遮断前にシステム１０４との通信を行って確認することで、誤った動作を行わないような誤動作防止機能も有している。
【００３８】
また、遮断制御部１０３は、システム１０４からの反応がない場合に、一定時間経過後にシステム１０４の電源を遮断することで、システム１０４が暴走している等の異常動作の場合にも遮断動作を保証している。
【００３９】
さらに、本実施の形態に係る電流監視安全システムは、システム１０４上に新しいソフトウェアを登録するなど、新規の使用状況における異常判断の基準電流を学習する機能も有している。
【実施例１】
【００４０】
図３を参照すると、本発明の第１の実施例としての回路構成が示されている。
【００４１】
図３に示す電流監視安全システムは、携帯電話機等の携帯機器１００に搭載されるもので、携帯機器１００内の電流監視対象のシステム１０４とその電源（電池）との間に接続され、システム１０４との間で通信可能となっている。システム１０４は、ＣＰＵ３０９、メモリ３１０、及びシステム１０４の負荷回路３１１を有する。負荷回路３１１は、システム１０４の電源により給電可能となっている。
【００４２】
この電流監視安全システムは、システム１０４の動作状況に合わせて異常と判断する基準電流を切り替えて管理する動作電流管理部１０２と、システム１０４及び電源間を流れる電流を測定し、その測定電流に応じた測定電圧と基準電流に応じた基準電圧との比較によりシステム異常を判断する電流監視部１０１と、電流監視部１０１によりシステム異常と判断されたときにシステム１０４及び電源間の電気的接続を遮断する遮断制御部１０３とを有する。
【００４３】
電流監視部１０１は、電流検出部３０１、動作電流管理部３０２、及び比較部３０３を有する。電流検出部３０１は、システム１０４に流れる電流値を電圧に変換する。判断電圧出力部３０２は、動作電流管理部１０２からの信号を受けて、比較用の基準電圧を作成する。比較部３０３は、電流検出部３０１からの電圧と、判断電圧出力部３０２からの電圧とを比較する。
【００４４】
動作電流管理部１０２は、判断電流算出部３０４と、システム１０４の動作状況に応じた電流を記憶する記憶部３０５とを有する。判断電流算出部３０４は、システム１０４からの動作状況通知を受け取り、動作状況に応じた電流を記憶している記憶部３０５からデータを読み出してシステム異常を判断するための基準電流を算出し、電流監視部１０１に通知する。
【００４５】
遮断制御部１０３は、遮断動作部３０６、タイマー部３０７、及び遮断スイッチ部３０８を有する。遮断動作部３０６は、電圧監視部１０１からの信号を受け取り、システム１０４のＣＰＵ３０９に遮断の通知をする。タイマー部３０７は、遮断動作部３０６からの信号を受けて動作開始し、一定時間経過を監視する。遮断スイッチ部３０８は、遮断動作部３０６からの信号を受けて、システム１０４の電源を遮断する。
【００４６】
次に、本実施例の動作について説明する。なお、システム１０４には、動作電流管理部１０２の判断電流算出部３０４、遮断制御部１０３の遮断動作部３０６からの後述の通知に応答して、その回答を通知するための制御プログラム（ＯＳやファームウェア等の他のプログラムと一体になっているものも含む）がメモリ３１０に予め設定され、ＣＰＵ３０９がその制御プログラムを実行することで、確認動作が実行可能となっている。この確認動作は、携帯機器等で既知のものが適用可能である。
【００４７】
図３において、システム１０４の電源がＯＮになると、システム１０４からその動作状況が動作電流管理部１０２に通知される。
【００４８】
動作電流管理部１０２では、判断電流算出部３０４にて、通知されたシステム１０４の動作状況に合わせた基準電流値が記憶部３０５から読み出され、電流監視部１０１に通知される。
【００４９】
電流監視部１０１では、判断電流出力部３０２にて、通知された基準電流値が基準電圧に変換され、比較部３０３にて、その基準電圧と電流検出部３０１からの電圧と比較される。ここで電流検出部３０１からの電圧が、基準電圧を上回った場合には、比較部３０３から遮断制御部１０３に通知される。
【００５０】
遮断制御部１０３では、比較部３０３からの信号を受け、遮断動作部３０６がシステム１０４内のＣＰＵ３０９に通知すると共に、タイマー部３０７を動作させて、ＣＰＵ３０９からの回答を待つ。
【００５１】
ＣＰＵ３０９は、遮断動作部３０６からの通知が来たら、新規のソフト等が動作しているのか、もしくは異常としてよいのかの判断を実施する。その結果、新規のソフトが動作している場合は、新規の動作状況である旨を動作電流管理部１０２に通知する。これにより、動作電流管理部１０２では、新規の動作状況に応じた電流を記憶部３０５に記憶すると共に、その電流を新たな基準電流値として監視を継続する。これにより、動作電流管理部１０２は、新しい動作状況に応じた異常判断の基準電流を学習する。一方、新規のソフト等が動作していない既存の動作状況である場合は、誤動作でないかを判断（周囲温度の影響や、過渡電流が流れる状態だったか等）して、電源遮断ＯＫかそうでないかを遮断制御部１０３に通知する。
【００５２】
遮断動作部３０６は、システム１０４から電源遮断ＯＫでないとの通知が来た場合には、タイマー部３０７をクリアして、その旨を電流監視部１０１に通知して監視を継続する。システム１０４から電源遮断ＯＫの通知が来た場合、もしくはシステム１０４が暴走等の異常状態で通知が来ないままタイマー部３０７から一定時間経過の通知を受け取った場合は、遮断動作部３０６は、遮断スイッチ部３０８を動作させて、システム１０４の負荷回路３１１を含むシステム全体の電源を遮断する。
【００５３】
本実施例によれば、システム１０４に流れる電流を監視し、装置の使用状況に応じた基準電流で異常を判断し、異常と判断した場合に、誤動作防止としてシステム１０４に電源遮断の可否を確認の上、遮断する仕組みを設けている。こうすることで、システム１０４に流れる多様な電流変化に応じた異常検出と誤動作防止の両方を実現した安全システムを構築することができ、小型化・薄型化・高機能化が要求される携帯機器における安全設計を容易にすることができる。
【００５４】
また、本実施の形態によれば、新しい動作状況を学習する機能を有していることで、携帯機器に新しいソフトウェアを追加するなどの新しい使用状況が追加された場合にも柔軟に対応することができる。
【実施例２】
【００５５】
図４は、図１、図３に示す動作電流管理部１０２をシステム１０４内のＣＰＵ３０９で実現した場合の第２の実施例を示す。第１の実施例と同様の構成要素（電流監視部１０１、遮断制御部１０３）については、同様の符号を付し、その説明を省略する。
【００５６】
この実施例の場合は、動作電流管理部１０２で実施していた機能をシステム１０４内のＣＰＵ３０９とメモリ３１０により代替しており、より簡素な構成での実現を可能としている。
【００５７】
なお、上記の電流監視安全システム及びその動作方法は、ハードウェア、ソフトウェア又はこれらの組合せにより実現することができる。この場合のハードウェア、ソフトウェア構成は特に限定されるものではなく、上述した各部１０１〜１０３の機能を実現可能であれば、いずれのものでも適用可能である。例えば、上述した各部１０１〜１０３の機能毎に個別に構成したものでも、各部１０１〜１０３の機能を一体的に構成したものでも、いずれでもよい。
【００５８】
上記の実施形態及び実施例の一部又は全部は、以下の付記のようにも記載されうるが、以下には限定されない。
【００５９】
（付記１）電流監視対象のシステムとその電源との間に接続され、前記システムとの間で通信可能な電流監視安全システムであって、前記システムの動作状況に合わせて異常と判断する基準電流を切り替えて管理する動作電流管理部と、前記システム及び前記電源間を流れる電流を測定し、その測定電流と前記基準電流との比較によりシステム異常を判断する電流監視部と、前記電流監視部によりシステム異常と判断されたときに前記システム及び前記電源間の電気的接続を遮断する遮断制御部とを有することを特徴とする電流監視安全システム。
【００６０】
（付記２）前記遮断制御部は、前記システム及び前記電源間の電気的接続を遮断する前に前記システムとの間の通信により前記システム側に電源遮断の可否を確認し、電源遮断可のときに前記システム及び前記電源間の電気的接続を遮断することを特徴とする付記１記載の電流監視安全システム。
【００６１】
（付記３）前記遮断制御部は、前記システムとの間の通信により前記電源遮断の可否確認に対する前記システム側からの応答がない場合に、一定時間経過後に前記システム及び前記電源間の電気的接続を遮断することを特徴とする付記２記載の電流監視安全システム。
【００６２】
（付記４）前記動作電流管理部は、前記システム側の新規のシステム動作状況における異常判断の基準電流を学習することを特徴とする付記１から３のいずれか１項に記載の電流監視安全システム。
【００６３】
（付記５）前記動作電流管理部は、前記システム内に搭載されることを特徴とする付記１から４のいずれか１項に記載の電流監視安全システム。
【００６４】
（付記６）付記１から５のいずれか１項に記載の電流監視安全システムを備えたことを特徴とする携帯機器。
【００６５】
（付記７）電流監視対象のシステムとその電源との間に接続され、前記システムとの間で通信可能な電流監視安全システムの動作方法であって、動作電流管理部が、前記システムの動作状況に合わせて異常と判断する基準電流を切り替えて管理し、電流監視部が、前記システム及び前記電源間を流れる電流を測定し、その測定電流と前記基準電流との比較によりシステム異常を判断し、遮断制御部が、前記電流監視部によりシステム異常と判断されたときに前記システム及び前記電源間の電気的接続を遮断することを特徴とする電流監視安全システムの動作方法。
【００６６】
（付記８）前記遮断制御部が、前記システム及び前記電源間の電気的接続を遮断する前に前記システムとの間の通信により前記システム側に電源遮断の可否を確認し、電源遮断可のときに前記システム及び前記電源間の電気的接続を遮断することを特徴とする付記７記載の電流監視安全システムの動作方法。
【００６７】
（付記９）前記遮断制御部が、前記システムとの間の通信により前記電源遮断の可否確認に対する前記システム側からの応答がない場合に、一定時間経過後に前記システム及び前記電源間の電気的接続を遮断することを特徴とする付記８記載の電流監視安全システムの動作方法。
【００６８】
（付記１０）前記動作電流管理部が、前記システム側の新規のシステム動作状況における異常判断の基準電流を学習することを特徴とする付記７から９のいずれか１項に記載の電流監視安全システムの動作方法。
【００６９】
以上、実施の形態及び実施例を参照して本願発明を説明したが、本願発明は上記実施の形態及び実施例に限定されるものではない。本願発明の構成や詳細には、本願発明のスコープ内で当業者が理解し得る様々な変更をすることができる。
【産業上の利用可能性】
【００７０】
本発明は、移動して持ち歩く可能性のある携帯電話機等の携帯機器等の用途に利用可能である。
【符号の説明】
【００７１】
１００  携帯機器
１０１  電流監視部
１０２  動作電流管理部
１０３  遮断制御部
１０４  システム
３０１  電流検出部
３０２  判断電圧出力部
３０３  比較部
３０４  判断電流算出部
３０５  記憶部
３０６  遮断動作部
３０７  タイマー部
３０８  遮断スイッチ部
３０９  ＣＰＵ
３１０  メモリ
３１１  負荷回路
【図１】
2011186596.tif 000003
【図２】
2011186596.tif 000004
【図３】
2011186596.tif 000005
【図４】
2011186596.tif 000006